(57)【要約】  磁性体によって形成された移動レンズ枠２１と、内周面において移動レンズ枠２１を光軸Ｏに沿って移動可能に保持する固定レンズ枠１２と、固定レンズ枠１２の外周に光軸Ｏの方向に所定距離を隔てて配置され、円環状の形状を有する第１の磁石３３及び第２の磁石３４と、固定レンズ枠１２の外周において第１の磁石３３と第２の磁石３４との間に巻回されたコイル３５と、を有する光学装置２であって、移動レンズ枠２１は、レンズ保持部２３の中心軸Ｏ１に直角な少なくとも一の方向の部位において第１，第２の磁石３３，３４及びコイル３５から受ける磁力が、他の部位において受ける磁力よりも相対的に小さくなるよう、中心軸Ｏ１周りに非回転対称な形状をなす。
2020044600.tif 000002
【特許請求の範囲】
【請求項１】
光軸の方向に移動可能な移動レンズを有する光学系と、
磁性体材料によって形成され、前記移動レンズを保持するレンズ保持孔を有する移動枠と、
非磁性体材料によって形成された筒状をなし、内周面において、前記移動枠を前記光軸に沿って移動可能に保持する保持枠と、
前記保持枠の外周に前記光軸の方向に所定距離を隔てて配置され、円環状の形状を有した第１の磁石及び第２の磁石と、
前記保持枠の外周において、前記第１の磁石と前記第２の磁石との間に巻回されたコイルと、を有し、
前記移動枠は、前記レンズ保持孔の中心軸に直角な少なくとも一の方向の部位において前記第１，第２の磁石及び前記コイルから受ける磁力が、他の部位において受ける前記磁力よりも相対的に小さくなるよう、前記中心軸周りに非回転対称な形状をなすことを特徴とする光学装置。
【請求項２】
前記移動枠は、
内周が前記レンズ保持孔として形成された円環状をなすレンズ保持部と、
前記レンズ保持部よりも大径な円環状をなして前記レンズ保持部に連設され、前記保持枠の内周面と摺動可能な摺動部と、
前記レンズ保持孔の中心軸の軸直角方向において、前記レンズ保持部、或いは、前記摺動部のうちの少なくとも何れか一方の一部を切欠いて形成した切欠部と、を有することを特徴とする請求項１に記載の光学装置。
【請求項３】
前記摺動部は、
前記レンズ保持部の先端側において前記保持枠の内周面と摺動可能な第１の摺動部と、
前記レンズ保持部の基端側において前記保持枠の内周面と摺動可能な第２の摺動部と、を有することを特徴とする請求項２に記載の光学装置。
【請求項４】
前記切欠部は、前記摺動部の円周上において、中心角が１２０°以下となる範囲内に形成されていることを特徴とする請求項２に記載の光学装置。
【請求項５】
前記切欠部は、平面状をなすことを特徴とする請求項２に記載の光学装置。
【請求項６】
前記切欠部は、前記光軸方向へ沿って延びた溝状をなすことを特徴とする請求項２に記載の光学装置。
【請求項７】
前記保持枠は、前記切欠部に対向する回転規制部を内周に有することを特徴とする請求項２に記載の光学装置。
【請求項８】
前記レンズ保持孔の前記中心軸は、前記移動枠の外周の中心軸に対して偏心していることを特徴とする請求項１に記載の光学装置。
【請求項９】
前記保持枠の外周において、前記コイルの外周に設けられ、前記第１の磁石、前記第２の磁石および前記コイルに発生する磁力を増幅するヨークを有することを特徴とする請求項１に記載の光学装置。
【請求項１０】
請求項１に記載の光学装置を備えたことを特徴とする内視鏡。
【発明の詳細な説明】
【技術分野】
【０００１】
本発明は、光学部材を保持した移動枠を磁力によって光軸方向に移動させて光学機能を可変する光学装置に関する。
【背景技術】
【０００２】
従来、カメラ付き携帯端末や内視鏡などのような特に小型化が要求される撮像装置においては、磁気アクチュエータを用いて撮像光学系の焦点を切換可能な２焦点切替式の光学装置を採用したものが知られている。【０００３】
この種の光学装置では、固定枠の内部において移動枠を摺動させるため、固定枠の内周面と移動枠の外周面との間に所定のクリアランスが設けられている。その一方で、このようなクリアランスは移動枠のガタ付きの要因となり、光学特性に影響を及ぼす。【０００４】
これに対し、例えば、日本国特開２０１７−６３８４５号公報には、対物レンズと、移動レンズと、磁性体から構成された移動枠と、移動枠を前後に移動自在に保持する保持枠と、保持枠の外周に設けられた一対の磁石と、一対の磁石の間に設けられたヨークと、ヨークよりも保持枠側に設けられたコイルと、を有した光学装置において、コイルの外周を覆う枠部と、枠部の前端及び後端において、保持枠の外周面に突出することにより、枠部と外周面との距離を縮める、枠部の周方向に部分的に形成されたヨーク凸部と、を有してヨークを構成することにより、磁力を用いて移動枠を移動させる際のがたつきを簡単な構成にて防止する技術が開示されている。【０００５】
しかしながら、上述の日本国特開２０１７−６３８４５号公報に開示された技術は、コイルの通電時に、主としてヨーク凸部が設けられている偏った部分においてのみ、各磁石の磁力の増強或いは削減を行う構成である。従って、ヨーク凸部が設けられていない部分においては、コイルの通電時に、移動枠の移動を阻害する磁力の削減等が十分になされず、移動枠に対して十分な駆動力を発生させることが困難な虞がある。【０００６】
本発明は上記事情に鑑みてなされたもので、十分な駆動力によって移動枠を移動させることができ、且つ、移動枠のガタ付きを的確に防止することができる光学装置および内視鏡を提供することを目的とする。
【発明の開示】
【課題を解決するための手段】
【０００７】
本発明の一態様による光学装置は、光軸の方向に移動可能な移動レンズを有する光学系と、磁性体材料によって形成され、前記移動レンズを保持するレンズ保持孔を有する移動枠と、非磁性体材料によって形成された筒状をなし、内周面において、前記移動枠を前記光軸に沿って移動可能に保持する保持枠と、前記保持枠の外周に前記光軸の方向に所定距離を隔てて配置され、円環状の形状を有した第１の磁石及び第２の磁石と、前記保持枠の外周において、上記第１の磁石と第２の磁石との間に巻回されたコイルと、を有し、前記移動枠は、前記レンズ保持孔の中心軸に直角な少なくとも一の方向の部位において前記第１，第２の磁石及び前記コイルから受ける磁力が、他の部位において受ける前記磁力よりも相対的に小さくなるよう、前記中心軸周りに非回転対称な形状をなすものである。【０００８】
また、本発明の一態様による内視鏡は、前記光学装置を備えたものである。
【図面の簡単な説明】
【０００９】
【図１】内視鏡の概略構成図
【図２】移動レンズユニットが先端側に移動した撮像装置の構成を示す断面図
【図３】移動レンズユニットが基端側に移動した撮像装置の構成を示す断面図
【図４】移動レンズユニットの斜視図
【図５】固定レンズ枠の内部において移動レンズ枠が受ける磁力を模式的に示す説明図
【図６】第１の変形例に係り、移動レンズユニットの斜視図
【図７】第２の変形例に係り、移動レンズユニットの斜視図
【図８】第３の変形例に係り、光学装置を光軸に直角な方向に破断した要部断面図
【図９】第４の変形例に係り、光学装置を光軸に直角な方向に破断した要部断面図
【図１０】第５の変形例に係り、光学装置を光軸に直角な方向に破断した要部断面図
【図１１】第６の変形例に係り、光学装置を光軸に直角な方向に破断した要部断面図
【図１２】第７の変形例に係り、光学装置を光軸に直角な方向に破断した要部断面図
【図１３】第８の変形例に係り、移動レンズユニットの斜視図
【図１４】第９の変形例に係り、移動レンズユニットの斜視図
【図１５】第１０の変形例に係り、移動レンズユニットの斜視図
【発明を実施するための最良の形態】
【００１０】
以下、図面を参照して本発明の形態を説明する。図面は本発明の一実施形態に係り、図１は内視鏡の概略構成図、図２は移動レンズユニットが先端側に移動した撮像装置の構成を示す断面図、図３は移動レンズユニットが基端側に移動した撮像装置の構成を示す断面図、図４は移動レンズユニットの斜視図、図５は固定レンズ枠の内部において移動レンズ枠が受ける磁力を模式的に示す説明図である。【００１１】
本実施形態の内視鏡１０１は、人体などの被検体内に導入可能であって被検体内の所定の観察部位を光学的に撮像する構成を有している。【００１２】
なお、内視鏡１０１が導入される被検体は、人体に限らず、他の生体であっても良いし、機械、建造物などの人工物であっても良い。【００１３】
内視鏡１０１は、被検体の内部に導入される挿入部１０２と、この挿入部１０２の基端に位置する操作部１０３と、この操作部１０３の側部から延出するユニバーサルコード１０４とで主に構成されている。【００１４】
挿入部１０２は、先端に配設される先端部１１０と、この先端部１１０の基端側に配設される湾曲自在な湾曲部１０９と、この湾曲部１０９の基端側に配設され操作部１０３の先端側に接続される可撓性を有する可撓管部１０８と、が連設されて構成されている。【００１５】
詳しくは後述するが、先端部１１０には、撮像装置１が設けられている。また、操作部１０３には、湾曲部１０９の湾曲を操作するためのアングル操作ノブ１０６が設けられている。【００１６】
ユニバーサルコード１０４の基端部には、外部装置１２０に接続される内視鏡コネクタ１０５が設けられている。内視鏡コネクタ１０５が接続される外部装置１２０は、モニタなどの画像表示部１２１にケーブルを介して接続されている。【００１７】
また、内視鏡１０１は、ユニバーサルコード１０４、操作部１０３および挿入部１０２内に挿通された複合ケーブル１１５および外部装置１２０に設けられた光源部からの照明光を伝送する光ファイバ束（不図示）を有している。【００１８】
複合ケーブル１１５は、内視鏡コネクタ１０５と撮像装置１とを電気的に接続するように構成されている。内視鏡コネクタ１０５が外部装置１２０に接続されることによって、撮像装置１は、複合ケーブル１１５を介して外部装置１２０に電気的に接続される。【００１９】
この複合ケーブル１１５を介して、外部装置１２０から撮像装置１への電力の供給および外部装置１２０と撮像装置１との間の通信が行われる。【００２０】
外部装置１２０には、画像処理部が設けられている。この画像処理部は、撮像装置１から出力された撮像素子出力信号に基づいて映像信号を生成し、画像表示部１２１に出力する。即ち、本実施形態では、撮像装置１により撮像された光学像（内視鏡像）が、映像として画像表示部１２１に表示される。【００２１】
なお、内視鏡１０１は、外部装置１２０または画像表示部１２１に接続する構成に限定されず、例えば、画像処理部またはモニタの一部または全部を有する構成であっても良い。【００２２】
また、光ファイバ束（不図示）は、外部装置１２０の光源部から発せられた光を、先端部１１０の照明光出射部としての照明窓まで伝送するように構成されている。さらに、光源部は、内視鏡１０１の操作部１０３または先端部１１０に配設される構成であってもよい。【００２３】
次に、本実施の形態の撮像装置１の構成について以下に詳しく説明する。
図２および図３に示すように、撮像装置１は、例えば、２焦点切替式の光学装置２と、この光学装置２の後方に連設される撮像素子３と、を有して構成されている。【００２４】
なお、撮像素子３は、ＣＣＤまたはＣＭＯＳなどのイメージセンサであって、図示しない撮像素子保持枠に固定され、この撮像素子保持枠を介して光学装置２の後方に連設されている。【００２５】
光学装置２は、固定レンズユニット１０と、移動レンズユニット２０と、駆動機構であるアクチュエータ３０と、を有している。【００２６】
固定レンズユニット１０は、対物レンズであって被写体像（光学像）の光を撮像素子３に向けて集束させる光学系である固定レンズ１１と、レンズ保持枠であって非磁性部材から形成された保持枠としての略筒状の固定レンズ枠１２と、円環形状の２つの規制部材１３ａ，１３ｂと、を有している。なお、規制部材１３ａ，１３ｂのうちの一方は、レンズ保持枠１２の一部であってもよい（すなわち、レンズ保持枠１２と一体形成されたものであってもよい）。【００２７】
固定レンズ枠１２は、撮像光軸Ｏに沿って細長な筒状に形成されていると共に、撮像光軸Ｏの先端部分に、光学系を構成する光学部材として、光学絞り１４が設けられた固定レンズ１１を保持している。なお、固定レンズ１１は、複数のレンズ群から構成されていてもよい。【００２８】
そして、固定レンズ枠１２の内周部には、固定レンズ１１の後方に光学絞り１４を挟むように移動レンズユニット２０の先端側の位置を規制する規制部材１３ａが固定され、撮像素子３よりも前方に移動レンズユニット２０の後端側の位置を規制する規制部材１３ｂが固定されている。【００２９】
移動レンズユニット２０は、磁性部材から形成された略筒形状を基本形状とする移動枠としての移動レンズ枠２１と、被写体像の光を撮像素子３の受光部に集束させる、光学系を構成する光学部材としての移動レンズ２２と、を有している。【００３０】
図２〜４に示すように、移動レンズ枠２１は、レンズ保持部２３と、このレンズ保持部２３の先端側に連設する摺動部としての第１の摺動部２４と、レンズ保持部２３の基端側に連設する摺動部としての第２の摺動部２５と、が磁性体によって一体形成されている。【００３１】
レンズ保持部２３は、内周がレンズ保持孔２３ａとして形成された略円環状をなし、このレンズ保持部２３のレンズ保持孔２３ａには移動レンズ２２が保持されている。なお、移動レンズ２２は、複数のレンズ群から構成されていてもよい。【００３２】
第１，第２の摺動部２４，２５は、レンズ保持部２３のレンズ保持孔２３ａの中心軸Ｏ１と同軸上に連設して配置されている。【００３３】
これら第１，第２の摺動部２４，２５は、レンズ保持部２３の外径よりも大径であって、且つ、固定レンズ枠１２の内径よりも僅かに小径な外径を有する略円環状の部材によって構成されている。これにより、第１，第２の摺動部２４，２５の外周面は、固定レンズ枠１２の内周面に対して摺動自在な摺動面として設定されている。【００３４】
なお、本実施形態において、摺動部２４，２５の外径は、例えば、１．３ｍｍ〜１．５ｍｍ程度であり、固定レンズ枠１２の内径よりも、例えば、０．０２ｍｍ程度小径に形成されている。【００３５】
この移動レンズユニット２０は、固定レンズユニット１０の固定レンズ枠１２に内包され、摺動部２４，２５の摺動により、撮像光軸Ｏに沿った前後方向に移動自在に設けられている。【００３６】
ここで、本実施形態の移動レンズ枠２１は、中心軸Ｏ１の軸直角方向において、レンズ保持部２３及び第１，第２の摺動部２４，２５の一部を、切削等により、一体的な平面状に切欠いて形成された切欠部２６を有し、これにより、移動レンズ枠２１は中心軸Ｏ１周りに非回転対称な形状となっている。【００３７】
この場合において、例えば、図５に示すように、切欠部２６は、第１，第２の摺動部２４，２５の円周上において、中心角が１２０°以下となる範囲内において形成されている。【００３８】
これにより、各摺動部２４，２５の摺動面は、少なくとも中心軸Ｏ１周りの１２０°毎の３点を、固定レンズ枠１２の内周面に対して接触させることが可能となっており、固定レンズ枠１２内における移動レンズユニット２０の安定した進退移動を実現する。【００３９】
アクチュエータ３０は、固定レンズ枠１２の外周に設けられたヨーク３１と、ヨーク３１の前端部に一体的に固定された円環状の形状を有する第１の磁石３３と、ヨーク３１の後端部に一体的に固定された円環状の形状を有する第２の磁石３４と、ヨーク３１の内周と固定レンズ枠１２の外周との間に巻回固定されたソレノイドコイル（以下、単にコイルという）３５と、を有している。【００４０】
ここで、本実施形態のヨーク３１は、略円筒形状をなす第１のヨーク部材３６及び第２のヨーク部材３７によって分割形成されている。第１のヨーク部材３６の先端には内向フランジ３６ａが全周に渡って形成され、この内向フランジ３６ａには第１の磁石３３が固定されている。また、第２のヨーク部材３７の後端には内向フランジ３７ａが全周に渡って形成され、この内向フランジ３７ａには第２の磁石３４が固定されている。これら第１のヨーク部材３６及び第２のヨーク部材３７は、コイル３５の全体を内包して覆うように、固定レンズ枠１２の先端側及び後端側からそれぞれ外挿され、対向する端部が接着剤、ろう付けなどによって互いが一体となるように接続固定されている。【００４１】
これら第１のヨーク部材３６および第２のヨーク部材３７は、第１の磁石３３、第２の磁石３４およびコイル３５に発生する磁力を増幅するための軟鉄などの磁性部材である。【００４２】
なお、第１のヨーク部材３６および第２のヨーク部材３７は、固定レンズ枠１２の外周に巻回固定されるコイル３５を覆うために組み付け上、別体としているが、コイル３５を覆うように組み付けが行える構成であれば一体とした１つのヨークとしてもよい。【００４３】
また、ここでのアクチュエータ３０は、第１の磁石３３が前方側にＳ極が着磁され、後方側にＮ極が着磁されており、第２の磁石３４が前方側にＮ極が着磁され、後方側にＳ極が着磁された永久磁石である。即ち、第１の磁石３３および第２の磁石３４は、同一の磁極（ここではＮ極）同士が対向するように配設されている。【００４４】
このように構成されたアクチュエータ３０は、コイル３５に対する通電方向を切り替え、第１の磁石３３および第２の磁石３４の磁界に対して、コイル３５が発生する磁界の方向を切り替えることにより、移動レンズユニット２０に対する駆動力を発生することが可能となっている。【００４５】
すなわち、コイル３５に対し、当該コイル３５の先端側をＳ極、基端側をＮ極に励磁する第１の方向への通電がなされると、アクチュエータ３０の先端側において、第１の磁石３３の磁場は、コイル３５に発生した同一方向の磁場により強められる。一方、アクチュエータ３０の後端側において、第２の磁石３４の磁場は、コイル３５に発生した逆方向の磁場によって打ち消され、弱められる。【００４６】
これらにより、アクチュエータ３０には、全体として、移動レンズ枠２１を先端側に引き寄せる駆動力（磁力）が発生し、移動レンズ枠２１（移動レンズユニット２０）は、規制部材１３ａによって規定される前方移動位置まで移動する。【００４７】
なお、コイル３５に対する通電が解除された後も、先端側へと移動された後の移動レンズ枠２１は、第１の磁石３３の磁力によって保持される。【００４８】
一方、コイル３５に対し、当該コイル３５の先端側をＮ極、基端側をＳ極に励磁する第２の方向への通電がなされると、アクチュエータ３０の先端側において、第１の磁石３３の磁場は、コイル３５に発生した逆方向の磁場によって打ち消され、弱められる。一方、アクチュエータ３０の後端側において、第２の磁石３４の磁場は、コイル３５に発生した同一方向の磁場によって強められる。【００４９】
これらにより、アクチュエータ３０には、全体として、移動レンズ枠２１を基端側に引き寄せる駆動力（磁力）が発生し、移動レンズ枠２１（移動レンズユニット２０）は、規制部材１３ｂによって規定される後方側移動位置まで移動する。【００５０】
なお、コイル３５に対する通電が解除された後も、後端側へと移動された後の移動レンズ枠２１は、第２の磁石３４の磁力によって保持される。【００５１】
なお、ここでの撮像装置１では、移動レンズユニット２０が前進して前方で停止した状態が第１の停止位置となるワイド端となっており、移動レンズユニット２０が後退して後方で停止した状態が第２の停止位置となるテレ端となっている。【００５２】
このように撮像装置１は、アクチュエータ３０の駆動によって、移動レンズユニット２０を前後に移動させてワイドおよびテレの２つの光学特性に切り替える構成となっている。【００５３】
また、撮像装置１は、固定レンズ１１および移動レンズ２２のレンズ設計などによって、移動レンズユニット２０の前後の停止位置によるワイドおよびテレの２つの光学特性を逆にしてもよい。【００５４】
このような移動レンズ枠２１（移動レンズユニット２０）の前方移動位置への移動及び保持、或いは、後方移動位置への移動及び保持において、移動レンズ枠２１はレンズ保持部２３（レンズ保持孔２３ａ）の中心軸周りに非回転対称な形状をなしているため、移動レンズ枠２１が、中心軸に軸直角な各方向において第１，第２の磁石３３，３４及びコイル３５から受ける磁力は、不均一となる。【００５５】
すなわち、切欠部２６が設けられた部位の体積は他の部位に比べて小さいため、切欠部２６が設けられた部位において移動レンズ枠２１が受ける磁力（引力）は、他の方向の部位において移動レンズ枠２１が受ける磁力（引力）よりも相対的に小さくなる（図５参照）。【００５６】
このため、移動レンズ枠２１（移動レンズユニット２０）は、切欠部２６が設けられた部位とは反対側の部位が、固定レンズ枠１２の内周面に対して押し付けられるように引き寄せられる。そして、このように移動レンズ枠２１が引き寄せられて、所謂ガタ寄せが行われることにより、移動レンズユニット２０のガタ付きが的確に防止される。【００５７】
この場合、移動レンズ枠２１の切欠部２６は、移動レンズユニット２１が受ける重力を考慮して設定されることが望ましい。すなわち、移動レンズ枠２１が磁力によって切欠部２６と反対側の方向に引き寄せられる引力と、移動レンズ枠２１が磁力によって切欠部２６の方向に引き寄せられる引力との差（相対的な引力）が重力よりも大きくなるように、切欠部２６の切欠量が設定されていることが望ましい。【００５８】
また、例えば、図２，３に示すように、移動レンズ枠２１は、当該移動レンズ枠２１がガタ寄せされたときの中心軸Ｏ１と、光学装置２の中心軸Ｏと、が一致するように設計されていることが望ましい。【００５９】
このような実施形態によれば、磁性体によって形成され、移動レンズ２２を保持するレンズ保持孔２３ａを有する移動レンズ枠２１と、非磁性体によって形成された筒状をなし、内周面において移動レンズ枠２１を光軸Ｏに沿って移動可能に保持する固定レンズ枠１２と、固定レンズ枠１２の外周に光軸Ｏの方向に所定距離を隔てて配置され、円環状の形状を有する第１の磁石３３及び第２の磁石３４と、固定レンズ枠１２の外周において第１の磁石３３と第２の磁石３４との間に巻回されたコイル３５と、を有し、移動レンズ枠２１は、レンズ保持孔２３ａの中心軸Ｏ１に直角な少なくとも一の方向の部位において第１，第２の磁石３３，３４及びコイル３５から受ける磁力が、他の部位において受ける磁力よりも相対的に小さくなるよう、中心軸Ｏ１周りに非回転対称な形状をなすことにより、十分な駆動力によって移動枠を移動させることができ、且つ、移動レンズ枠２１のガタ付きを的確に防止することができる。【００６０】
すなわち、移動レンズ枠２１を中心軸Ｏ１周りに非回転対称な形状とし、中心軸Ｏ１に直角な少なくとも一の方向の部位において第１，第２の磁石３３，３４及びコイル３５から受ける磁力が他の部位において受ける磁力よりも相対的に小さくなるよう構成することにより、コイル３５の通電時に偏った部分においてのみ第１，第２の磁石３３，３４の磁力の増強或いは削減等を行うことなく、移動レンズ枠２１のガタ寄せを行うことができる。そして、コイル３５の通電時に全周に渡って第１，第２の磁石３３，３４の磁力の増強或いは削減を行うことにより、移動レンズ枠２１に対して十分な駆動力を発生させることができる。【００６１】
この場合において、切欠部２６は、レンズ保持部２３、及び、第１，第２の摺動部２４，２５の一部を平面状に切欠いて形成されるものであるため、移動レンズ枠２１を容易に、非回転対称な形状に形成することができる。【００６２】
ここで、例えば、図６に示すように、移動レンズ枠２１において、レンズ保持部２３、及び、第１，第２の摺動部２４，２５のうち、第１，第２の摺動部２４，２５にのみ切欠部４０を形成することも可能である。【００６３】
このように構成すれば、移動レンズ２２の保持強度を確保しつつ、切欠部をさらに深くすることができるため、移動レンズ枠２１をガタ寄せするための引力量設計の自由度が向上する。【００６４】
また、例えば、図７に示すように、移動レンズ枠２１において、レンズ保持部２３、及び、第１，第２の摺動部２４，２５のうち、レンズ保持部２３にのみ切欠部４１を形成することも可能である。【００６５】
このように構成すれば、固定レンズ枠１２の内周に対し、第１，第２の摺動部２４，２５による摺動性を確保しつつ、移動レンズ枠２１のガタ付きを防止することができる。【００６６】
また、例えば、図８に示すように、切欠部に代えて、移動レンズ枠２１に孔部４２を穿設することにより、移動レンズ枠２１を中心軸Ｏ１周りに非回転対称な形状とすることも可能である。【００６７】
このように構成すれば、移動レンズ枠２１の外形形状に影響を及ぼすことなく、移動レンズ枠２１のガタ付きを防止することができる。【００６８】
また、例えば、図９に示すように、第１，第２の摺動部２４，２５等の中心軸Ｏ２に対し、レンズ保持孔２３ａの中心軸Ｏ１を偏心させることにより、移動レンズ枠２１を中心軸Ｏ１周りに非回転対称な形状とすることも可能である。【００６９】
この場合、中心軸Ｏ２に対する中心軸Ｏ１の偏心量ｅを、移動レンズ枠２１が固定レンズ枠１２の内周に押し当てられたときの最大クリアランスｃの半値（すなわち，ｅ＝ｃ／２）とすることにより、移動レンズ枠２１が固定レンズ枠１２の内部において回転した場合にも、常に中心軸Ｏ１が固定レンズ枠１２の中心に位置するように移動レンズ枠２１をガタ寄せすることができる。従って、光学装置２の光軸Ｏを固定レンズ枠１２の中心に設定すれば、常に、光軸Ｏと中心軸Ｏ１とを一致させることができる。【００７０】
また、移動レンズ枠２１に対しては複数の切欠部を設けることも可能である。例えば、図１０には、移動レンズ枠２１に対し、中心軸Ｏ１に直角な一の方向の部位に第１の切欠部４５を設けるとともに、この第１の切欠部４５を基準として中心軸Ｏ１周りの１２０°の回転位置毎に第１の切欠部４５よりも小さい第２，第３の切欠部４６，４７を設けた構成について示している。【００７１】
このように構成すれば、第１，第２の磁石３３，３４及びコイル３５から受ける磁力は、移動レンズ枠２１の周上において、第１の切欠部４５が設けられた部位が最も小さく、次いで、第２，第３の切欠部４６，４７が設けられた部位が小さくなる。従って、移動レンズ枠２１は、中心軸Ｏ１を挟んで第１の切欠部４５と反対側の方向にガタ寄せが行われつつ、中心軸Ｏ１を挟んで第２，第３の切欠部４６，４７と反対側へも引き寄せられる。これにより、移動レンズ枠２１は、固定レンズ枠１２に対する当接部位（すなわち、移動レンズ枠２１の中心軸Ｏ１を挟んで第１の切欠部４５と反対側の部位）を支点としたふらつきについても的確に防止される。【００７２】
また、例えば、図１１に示すように、固定レンズ枠１２の内周において、移動レンズ枠２１の切欠部２６に対向する位置に、回転規制部５０を設けることも可能である。【００７３】
このように構成すれば、固定レンズ枠１２に対する移動レンズ枠２１の回転位置を常に一定とすることができる。【００７４】
また、例えば、図１２に示すように、切欠部の形状としては、平面状の切欠部２６に代えて、光軸Ｏ（中心軸Ｏ１）方向に延在する溝状の切欠部５１であってもよい。【００７５】
この場合、固定レンズ枠１２の内周において、移動レンズ枠２１の切欠部５１に対向する位置に、キー状の回転規制部５２を設けることも可能である。【００７６】
このように構成すれば、固定レンズ枠１２に対する移動レンズ枠２１の回転位置を常に一定とすることができる。【００７７】
また、例えば、図１３〜１５に示すように、レンズ保持部２３の外径を、第１，第２の摺動部２４，２５の外径と同径となるように形成することも可能である。【００７８】
このように構成すれば、レンズ保持部２３の外周面についても固定レンズ枠１２の内周に対する摺動面として作用させることができる。従って、第１，第２の摺動部２４，２５に対し、任意の量を切欠いた切欠部５５を形成した場合にも、移動レンズ枠２１の摺動面は、少なくとも中心軸Ｏ１周りの１２０°毎の３点を、固定レンズ枠１２の内周面に対して接触させることができる。【００７９】
なお、本発明は、以上説明した各実施形態に限定されることなく、種々の変形や変更が可能であり、それらも本発明の技術的範囲内である。例えば、上述の実施形態の構成及び各変形例の構成を適宜組み合わせてもよいことは勿論である。【００８０】
本出願は、２０１８年８月２７日に日本国に出願された特願２０１８−１５８４１１号を優先権主張の基礎として出願するものであり、上記の開示内容は、本願明細書、請求の範囲に引用されるものとする。
【図１】
2020044600.tif 000003
【図２】
2020044600.tif 000004
【図３】
2020044600.tif 000005
【図４】
2020044600.tif 000006
【図５】
2020044600.tif 000007
【図６】
2020044600.tif 000008
【図７】
2020044600.tif 000009
【図８】
2020044600.tif 000010
【図９】
2020044600.tif 000011
【図１０】
2020044600.tif 000012
【図１１】
2020044600.tif 000013
【図１２】
2020044600.tif 000014
【図１３】
2020044600.tif 000015
【図１４】
2020044600.tif 000016
【図１５】
2020044600.tif 000017
【手続補正書】
【提出日】令和2年11月18日(2020.11.18)
【手続補正１】
【補正対象書類名】明細書
【補正対象項目名】０００７
【補正方法】変更
【補正の内容】
【０００７】
本発明の一態様による光学装置は、光軸の方向に移動可能な移動レンズを有する光学系と、磁性体材料によって形成され、前記移動レンズを保持する移動枠と、非磁性体材料によって形成された筒状をなし、内周面において、前記移動枠を前記光軸に沿って移動可能に保持する保持枠と、前記保持枠の外周に前記光軸の方向に離間して配置され、円環状の形状を有した第１の磁石及び第２の磁石と、前記保持枠の外周において、前記第１の磁石と前記第２の磁石との間に巻回されたコイルと、を有し、前記移動枠は、前記光軸周りに非回転対称な形状をなすものである。
【手続補正２】
【補正対象書類名】明細書
【補正対象項目名】０００８
【補正方法】変更
【補正の内容】
【０００８】
また、本発明の一態様による内視鏡は、光軸の方向に移動可能な移動レンズを有する光学系と、磁性体材料によって形成され、前記移動レンズを保持する移動枠と、非磁性体材料によって形成された筒状をなし、内周面において、前記移動枠を前記光軸に沿って移動可能に保持する保持枠と、前記保持枠の外周に前記光軸の方向に離間して配置され、円環状の形状を有した第１の磁石及び第２の磁石と、前記保持枠の外周において、前記第１の磁石と前記第２の磁石との間に巻回されたコイルと、を有し、前記移動枠が、前記光軸周りに非回転対称な形状をなす光学装置を備えたものである。
【手続補正３】
【補正対象書類名】特許請求の範囲
【補正対象項目名】全文
【補正方法】変更
【補正の内容】
【特許請求の範囲】
【請求項１】
光軸の方向に移動可能な移動レンズを有する光学系と、
磁性体材料によって形成され、前記移動レンズを保持する移動枠と、
非磁性体材料によって形成された筒状をなし、内周面において、前記移動枠を前記光軸に沿って移動可能に保持する保持枠と、
前記保持枠の外周に前記光軸の方向に離間して配置され、円環状の形状を有した第１の磁石及び第２の磁石と、
前記保持枠の外周において、前記第１の磁石と前記第２の磁石との間に巻回されたコイルと、を有し、
前記移動枠は、前記光軸周りに非回転対称な形状をなすことを特徴とする光学装置。
【請求項２】
前記移動枠は、一の方向の部位において前記第１，第２の磁石及び前記コイルから受ける磁力が、他の部位において受ける前記磁力よりも相対的に小さくなるよう、前記光軸周りに非回転対称な形状をなすことを特徴とする請求項１に記載の光学装置。
【請求項３】
前記移動枠は、
内周がレンズ保持孔として形成された円環状をなすレンズ保持部と、
前記レンズ保持部よりも大径な円環状をなして前記レンズ保持部に連設され、前記保持枠の内周面と摺動可能な摺動部と、
前記レンズ保持孔の中心軸の軸直角方向において、前記レンズ保持部、或いは、前記摺動部のうちの少なくとも何れか一方の一部を切欠いて形成した切欠部と、を有することを特徴とする請求項１に記載の光学装置。
【請求項４】
前記摺動部は、
前記レンズ保持部の先端側において前記保持枠の内周面と摺動可能な第１の摺動部と、
前記レンズ保持部の基端側において前記保持枠の内周面と摺動可能な第２の摺動部と、を有することを特徴とする請求項３に記載の光学装置。
【請求項５】
前記切欠部は、前記摺動部の円周上において、中心角が１２０°以下となる範囲内に形成されていることを特徴とする請求項３に記載の光学装置。
【請求項６】
前記切欠部は、平面状をなすことを特徴とする請求項３に記載の光学装置。
【請求項７】
前記切欠部は、前記光軸方向へ沿って延びた溝状をなすことを特徴とする請求項３に記載の光学装置。
【請求項８】
前記保持枠は、前記切欠部に対向する回転規制部を内周に有することを特徴とする請求項３に記載の光学装置。
【請求項９】
前記レンズ保持孔が保持する前記移動レンズの中心軸は、前記移動枠の外周の中心軸に対して偏心していることを特徴とする請求項３に記載の光学装置。
【請求項１０】
前記保持枠の外周において、前記コイルの外周に設けられ、前記第１の磁石、前記第２の磁石および前記コイルに発生する磁力を増幅するヨークを有することを特徴とする請求項１に記載の光学装置。
【請求項１１】
光軸の方向に移動可能な移動レンズを有する光学系と、磁性体材料によって形成され、前記移動レンズを保持する移動枠と、非磁性体材料によって形成された筒状をなし、内周面において、前記移動枠を前記光軸に沿って移動可能に保持する保持枠と、前記保持枠の外周に前記光軸の方向に離間して配置され、円環状の形状を有した第１の磁石及び第２の磁石と、前記保持枠の外周において、前記第１の磁石と前記第２の磁石との間に巻回されたコイルと、を有し、前記移動枠が、前記光軸周りに非回転対称な形状をなす光学装置を備えたことを特徴とする内視鏡。
【国際調査報告】
2020044600.tif 000018
2020044600.tif 000019
2020044600.tif 000020
2020044600.tif 000021